Podtech/llm-jp-corpus-v4-ja_patent huggingface dataset:
(57)【要約】【課題】  本発明は、カガミの額縁である。通常はカガミ板のみデザインされた額縁の中央にカガミを貼り付けたものはあったが、額縁が変化することはなかったため、変化する額縁を提案する。【解決手段】  カガミの周囲に複数の傾斜したボックスよりなる額縁を設け土こぼれ防止のネット袋で鉢を包んだ根付き花をボックスに挿し込み設ける。【選択図】図１
2018094343.tif 000002
【特許請求の範囲】
【請求項１】
カガミ（２）の周囲に複数のボックス（４）よりなる額縁（１）を設け、根付き花（３）を挿し込み設けた根付き花額縁のカガミ。
【発明の詳細な説明】
【技術分野】
【０００１】  本発明は、顔をうつすカガミの額縁であって、取り換え可能な鉢植えした根付き花を設けた根付き花額縁のカガミに関するものである。
【背景技術】
【０００２】  従来、カガミはカガミ板のみか、デザインされた額縁にカガミを貼り付けたりされていた。
【発明の概要】
【発明が解決しようとする課題】
【０００３】  これには次のような欠点があった。
従来、顔をうつすカガミ板のみで使用されるか、デザインされた額縁の中央に貼り付けたカガミはあったが額縁のデザインが変化することはなかった。
本発明は以上のような欠点をなくすためになされたものである。
【課題を解決するための手段】
【０００４】  カガミ（２）の周囲に複数の傾斜したボックス（４）よりなる額縁（１）を設け、土こぼれ防止のネット袋（５）で鉢（６）を包んだ根付き花（３）をボックス（４）に挿し込み設ける。
本発明は以上の構成よりなる根付き花額縁のカガミである。
【発明の効果】
【０００５】  （イ）カガミの周囲額縁のボックスに根付き花を挿し込むことで香りと花が変化していくなかでカガミに顔をうつすのが楽しくなるのである。
（ロ）根付き花をボックスへ横に傾け挿し込むことで、花は正面を向き花の美しさを際立たせることができる。
（ハ）根付き花は差し換えることで色々な花と香りが楽しめ、鉢に水を与えることで長く使用できる。
【図面の簡単な説明】
【０００６】
【図１】本発明の根付き花額縁のカガミ製作中の斜視図である。
【図２】本発明の根付き花の斜視図である。
【図３】本発明の額縁の正面図である。
【図４】本発明の根付き花額縁カガミの側面断面図である。
【図５】本発明の額縁の背面斜視図である。
【発明を実施するための最良の形態】
【０００７】  以下、本発明を実施するための最良の形態について説明する。
（イ）カガミ（２）の周囲に複数の傾斜したボックス（４）よりなる額縁（１）を設ける。
（ロ）土こぼれ防止のネット袋（５）で鉢（６）を包み、ネット袋（５）の口を閉め設ける。
（ハ）根付き花（３）を横に傾けボックス（４）に挿し込み設ける。
本発明は、以上のような構成よりなる。
本発明を使用する場合は、カガミ（２）の周囲額縁（１）のボックス（４）に根付き花（３）を横に傾け挿し込み、それにより花は正面を向き美しい姿を見せる。また、時々別の花の根付き花（３）を挿し換えて雰囲気を換え、水を与えて長く使用する。吊り下げ穴（７）は壁に掛ける時の穴である。
【符号の説明】
【０００８】    １  額縁
２  カガミ
３  根付き花
４  ボックス
５  ネット袋
６  鉢
７  吊り下げ穴
【図１】
2018094343.tif 000003
【図２】
2018094343.tif 000004
【図３】
2018094343.tif 000005
【図４】
2018094343.tif 000006
【図５】
2018094343.tif 000007
(57)【要約】【課題】  従来のお守りはあらかじめ定められた内容、例えば健康、安全、幸運などで祈祷されたものであり、お守りを手にした人の願いことで祈祷さることはない。【課題を解決するための手段】  本発明は、お守りに往復可能な伝達手段、例えば往復葉書の往信葉書に送付先の宛先の住所および宛名、お守りを手にした人の願いごとが記入できる欄を設け、また復信葉書には往信葉書に記入された願いごとに対して確かに祈祷されたことを記載する欄を設け、往信葉書に記入した本人にその願いごとが確かに祈祷されたことを確認できる証を復信葉書によってその本人に送れるようにするものである。【選択図】図２
2018094342.tif 000002
【特許請求の範囲】
【請求項１】
往復伝達手段を添付したお守りで、該添付された往復伝達手段の内の予め定めた往信先の住所および宛名を記入した往信部の裏面にお守りを入手した人の願いごとを加え伝えることができる手段と、該往信部で伝えられた願いごとに対して祈祷をしたことを該往復伝達手段の復信部にお守りを手に入れた人が記入する住所および宛名と、該復信部の裏面に祈祷した旨を伝えることができる手段を設け、往信部の裏面に記入された願いごとが往信部に記入された住所および宛名に送られ、それを受信者が該願いを予め定めた由緒ある所で祈祷した後、復信部に祈祷済の旨を記入して返信し、復信部を受信した往信者は祈祷されたことを確認できる証を受信することができるお守り。
【発明の詳細な説明】
【技術分野】
【０００１】  本発明は、お守りを手にした人のお願いが、確実に祈祷されたことが確認できるお守りに関するものである。
【背景技術】
【０００２】  従来のお守りはあらかじめ定められた祈祷内容、例えば健康、安全、幸運などで祈祷されたものであり、お守りを手にした人のお願いごとを祈祷したものでない。
【発明の開示】
【発明が解決しようとする課題】
【０００３】  本発明は、お守りを手にした人が願いごとを伝え、その願いごとが確かに祈祷されたことを本人にその証を伝えることができるお守りを実現することを目的とする。
【課題を解決するための手段】
【０００４】  本発明は上記目的を達成するために、お守りに往復可能な伝達手段、例えば往復葉書の往信葉書に送付先の宛先の住所および宛名を、そして裏面にお守りを手にした人の願いごとを記入できる欄を設け、また復信葉書には往信葉書に記入された願いごとに対して確かに祈祷されたことを記載する欄を設け、依頼者本人がその願いごとが確かに祈祷されたことを確認できる証を復信葉書によって受信できるようにする。
【発明の効果】
【０００５】  上述したように本発明のお守りでは、あらかじめ定められた内容、例えば健康、安全、幸運などで祈祷されたお守りではなく、お守りを手にした人それぞれのお願いごとが伝えられ、しかもその願いごとが特定の祈祷所で確かに祈祷されたことを依頼した人が確認できる機能を実現することができる。
【発明を実施するための最良の形態】
【０００６】  以下、本発明の実施例を図１のお守りの構成、図２の往復伝達手段の構成に基づいて説明する。【０００７】  図１において、１はお守り、２は該お守りに添付される往復伝達手段。また図２において、３は往復伝達手段２の往信部、３１は往信部の表、３１１は願いごとの送り先である組織の住所が予め記入された往信先住所欄、３１２は願いごとの送り先である組織の名称が予め記入された往信先宛名欄、３２は往信部の裏、３２１はお守り１を手に入れた人が込めたい願いを書き込める願いごと記入欄、４は往復伝達手段２の復信部、４１は復信部の表、４１１は願いごとをした人へ送るための復信先の住所欄、４１２は復信先の宛名欄、４２は復信部の裏、４２１は予め祈祷する組織の名称が記入され祈祷後にその証を記入する祈祷済み記入欄、４２２は祈祷する組織の印鑑欄、４２３は祈祷した年月日を記入する日付欄である。【０００８】  動作説明にあって、ここでは往復伝達手段２として往復葉書を想定して進める。先ず、お守り１を手に入れた人が往信部の裏３２の願いごと記入欄３２１に該お守り１に込めたい願いを書き込む。また復信部の表４１の復信先の住所欄４１１に願いを記入した人の住所を、また復信先の宛名欄４１２に願いを記入した人の名前を記入する。その後、往復伝達手段２を郵便ポストに投函する。【０００９】  投函された該往復伝達手段２が往信先住所欄３１１に記載された願いごとの送り先住所の往信先宛名欄３１２に記載された組織で受領される。往復伝達手段２を受領した該組織は往信部２の願いごと記入欄に願いごとが記入されていることを確認して。予め定めた該願いごとを祈祷済み記入欄４２１に記載された祈祷する組織で祈祷を実施する。その後該祈祷する組織では確かに祈祷したことの証として、復信部の裏４２の祈祷済み記入欄４２１へ祈祷を行ったことを表現する文章、例えば「お願いごとをお祈りさせていただきました。」を記入すると共に、該組織の印鑑を印鑑欄４２２へ押印し、祈祷年月日を日付欄４２３に記入を行う。その後、往信部３と復信部４を切り離し、該復信部４をポストに投函する。【００１０】  投函された該往復伝達手段２の復信部４が復信先住所欄４１１に記載された住所の、復信先宛名欄４１２に記載された願いごとの依頼人に送られ、復信部の裏４２の祈祷済み記入欄４２１に祈祷を行ったことの文章、印鑑欄４２２へ押印された組織の印鑑、日付欄４２３に祈祷年月日が記入された証が手元に届くことになる。【００１１】  これによってお守りを手にした人のお願いしたことが、予め定められた組織、例えば神社などの祈祷する所で祈祷されたことを確認できることになる。【００１２】  以上が動作説明である。【００１３】  本実施例ではお守りの祈祷物を布などで作成された袋に入れた形状のもので説明してきたが、お守りとしては袋を設けず文房具などの小物そのものであっても同様なことが可能である。また、往復伝達手段を往復葉書で説明してきたが、添付する往復伝達手段を葉書ではなく電子メールアドレスが記載された文書を添付して電子メールで行うようにすることによっても往復葉書で行うのと同様のことが可能である。
【図面の簡単な説明】
【００１４】
【図１】お守りの図
【図２】往復伝達手段の図
【符号の説明】
【００１５】    １  お守り
２  往復伝達手段
３  往信部
３１  往信部の表
３１１  往信先の住所欄
３１２  往信先の宛名欄
３２  往信部の裏
３２１  願いごと記入欄
４  復信部
４１  復信部の表
４１１  復信先の住所欄
４１２  復信先の宛名欄
４２  復信部の裏
４２１  祈祷済み記入欄
４２２  印鑑欄
４２３  日付欄
【図１】
2018094342.tif 000003
【図２】
2018094342.tif 000004
(57)【要約】      （修正有）【課題】腹部孔からカテーテルを挿入し、包帯テープで固定すると、腹部孔上部上のカテーテルが盛り上がり、固定が不安定になる。また挿入されたカテーテルの側孔部分が膀胱壁面に接触する。そのため、膀胱壁面が炎症起こす。さらに、出血や血塊ができる。自在に曲折可能なカテーテルを提供する。【解決手段】樹脂で被膜されたワイヤ２０を挿入することで曲折可能となるカテーテル１０は腹部孔２で直角に挿入可能になる。その結果、側孔部分１１が膀胱壁面に接触する可能性が少なくなり、膀胱内壁４が損傷される事が少なく、またカテーテルが抜ける可能性が減少する。【選択図】図１
2018094341.tif 000002
【特許請求の範囲】
【請求項１】
樹脂によって被膜されたワイヤ入りカテーテル
【請求項２】
ワイヤ入りカテーテル
【請求項３】
ワイヤがバルーンエア管内に装着されたワイヤ入りカテーテル
【請求項４】
柔らかい素材で包み込まれた樹脂被膜ワイヤ入りカテーテル
【発明の詳細な説明】
【技術分野】
【０００１】本発明は自由自在に曲げられる樹脂被膜ワイヤ入りカテーテルの開発である。【０００２】本発明の樹脂被膜ワイヤ入りカテーテルは肌に接触する部分を柔らかい素材図７で包み込んで構成されている。
【背景技術】
【０００３】既存のカテーテル１０は主に尿道狭窄拡張関連に応用されている。【０００４】本発明のカテーテルはシリコンとゴムが素材に用いられ、バルーン１３とバルーンエア１５及びワイヤを保護する保護管が装着されている
【先行技術文献】
【特許文献】
【０００５】
【特許文献１】特開２０１５−１３１９７
【発明の概要】
【発明が解決しようとする課題】
【０００６】膀胱３上部の腹部１にカテーテル１０を挿入する孔がある。この孔からカテーテル１０を挿入にする。このカテーテル１０が抜けないように包帯テープで固定する。カテーテル１０は腹部孔２の表面で湾曲なる。その結果、バルーン１３先端の側孔部分１１が膀胱内３で斜めに偏り、膀胱壁面４に接触する。
そのため、膀胱壁面４が炎症起こす。さらに、出血や血塊ができ、かつカテーテルの中に尿混と血塊が一緒に流入する。それが原因で尿道症や感染症になる可能性が考えられる。
また、このような固定では容易にカテーテル１０がずれたり、抜けたりする可能性が生じる。
【課題を解決するための手段】
【０００７】本発明は自由自在に曲げられる樹脂被膜ワイヤ入りカテーテルの開発である。【０００８】自在に曲げられるワイヤ２０はカテーテル１０のファネル１７からバルーン１３までの間に装着されている。このワイヤ２０は化学的反応に広帯域な樹脂で被膜されている。腹部孔２から挿入されるカテーテル１０は腹部孔２から直角に曲げられので、バルーン先端側孔部分１１が膀胱内壁面４に垂直に挿入される。その結果、膀胱内壁４にカテーテル側孔先端１１が接触する可能性が少なくなる。
【発明の効果】
【０００９】上述のように本発明の樹脂被膜ワイヤ入りカテーテルの使用により、尿道症や感染症を引き起こす可能性が小さいと思われる。【０００１０】腹部孔２で直角に曲げてカテーテル１０を挿入するので、ずれたり、抜けたりする装着の不安定差は解消される【０００１１】カテーテルを肌に固定するときに、柔らかい素材を肌の損傷保護材図７として使用するので肌を痛めることはない。
【図面の簡単な説明】
【０００１２】
【図１】本発明に係るワイヤ入りカテーテルを身体に配置した実施形態の斜視図である。
【図２】本発明に係るバルーン１３及びバルーンエア管１５を備え、ワイヤ保護管２１を装着したワイヤ入りカテーテルの側面図
【図３】本発明に係る請求項に１に記述されているワイヤ入りカテーテルにおいて、カテーテルル内にワイヤのみをいれたワイヤ入りカテーテルの側面図
【図４】本発明に係るワイヤ保護管内にワイヤ入りカテーテルのＡ−Ａ線上の断面図である
【図５】本発明に係るワイヤのみをいれたカテーテルのＢ−Ｂ線上の断面図
【図６】本発明係るバルーンエア管内１５にワイヤ２０を入れて構成されたワイヤ入りカテーテルの断面図
【図７】本発明係るワイヤ入りカテーテル包装袋
【符号の説明】１  腹部
２  腹部孔
３  膀胱
４  膀胱内壁
１０  カテーテル
１１  側孔
１３  バルーン
１４  シャフト
１５  バルーンエア管
１６  バルブ
１７  ファネル
２０  ワイヤ
２１  ワイヤ保護管
【図１】
2018094341.tif 000003
【図２】
2018094341.tif 000004
【図３】
2018094341.tif 000005
【図４】
2018094341.tif 000006
【図５】
2018094341.tif 000007
【図６】
2018094341.tif 000008
【図７】
2018094341.tif 000009
(57)【要約】      （修正有）【課題】従来の浴槽に温水を溜め、使用するユニットバスは、入浴後は温水は最後に排出するか、追い炊きできる浴槽でも、次の日は、垢で汚れ最悪の場合は臭いがあるので、沸かした浴槽温水を、その日に使い捨てることが無く、次の日にでも前日の沸かし溜めていた風呂温水を使用が可能となるエコ浴槽を提供する。【解決手段】浴槽の風呂温水を濾過する濾過器を浴槽内にセットし、エアーレーションストーンを濾過器の蓋の上部に設けて、これに、常時エアーポンプで圧縮空気を送り続け、さらに、浴槽底部、側面四面部、上面部、全体に断熱材を施す。【選択図】図１
2018094365.tif 000002
【特許請求の範囲】
【請求項１】
浴槽の温水を次の日にも使用できるように濾過し、さらに、水から沸かすことが無いように浴槽の水温の低下を抑えるために浴槽全体を断熱することで、水温低下を防止し、浴槽の温水を捨てることなく、次の日も再利用し再入浴できるエコ浴槽。
【発明の詳細な説明】
【技術分野】
【０００１】  本発明は浴槽の風呂水温の低下防止、浴槽の風呂水の濾過に関する。
【背景技術】
【０００２】  従来の浴槽の風呂温水は水道水から沸かし快適な温度の温水を溜めるか、追い炊き機能が付いている浴槽は、使用中に追い炊きを行い、低下した風呂温水を快適な温度まで沸かし使用するものである。
【発明の開示】
【発明が解決しようとする課題】
【０００３】  従来の浴槽に快適な温度の温水を溜め、使用するユニットバスは、入浴後の温水は最後には排出する必要がある。また、追い炊きできる浴槽でも、次の日は、垢で汚れ、最悪の場合は臭いがある。【０００４】  本発明は、このような問題点を解決する物であり、沸かした浴槽温水を、その日に使い捨てることが無いように、次の日にでも前日の沸かし溜めていた風呂温水を使用が可能にするものである。
【課題を解決するための手段】
【０００５】  本発明は、上記目的を達成するために、浴槽の風呂温水を濾過する濾過器を浴槽内にセットし、風呂温水の温度の低下を防ぐために，浴槽底部、側面四面部、上面部、全体を断熱材を施した浴槽。
【発明の効果】
【０００６】  上記のように浴槽内に濾過器をセットし、風呂水を濾過することで次の日にも同じ風呂水の使用が可能になり、風呂温水の温度の低下を防ぐ、浴槽全体を断熱材を施すことにより、水道水からの沸かす必要が無くなる。【０００７】  濾過器は２重構造になっており、外側と内側のケース間に濾過材を敷き詰め、中心部には濾過器が浮き上がるを防止する重りをセットし、濾過材で濾過された風呂温水の臭いのを除去する活性炭を置き、濾過器に風呂温水を引き込むための細かいエアー泡を発生させるエアーレーションストーンが濾過器の蓋の上部に設けて、これに、常時エアーポンプで圧縮空気を送り続けることで、風呂温水を濾過器に引き込み濾過を行っている。
【発明を実施するための最良の形態】
【０００８】  以下、本発明を図１、図２に基づいて説明する。【０００９】  図１は浴槽温水濾過器の断面図及び濾過するための濾過システム図である。家庭用電源を使用する圧縮空気を送るエアーポンプの電源は、安全面を考慮し、脱衣室よりとりいれ、それ以外の浴槽温水濾過器は浴室、浴槽に設置している。
エアーポンプ（１）で圧縮された空気はエアーチューブ（２）でエアーレーション発生ストーン（６）に送られ、細かい泡をつくり、二重ケースに無数にあいた穴（７）より風呂温水を効率よく浴槽温水濾過器に引き込み、引き込まれた風呂温水は濾過材（３）により垢は濾過され、濾過された風呂温水は活性炭（４）で臭いを除去し、再び風呂温水として再利用できる。
第２図は一度沸かした風呂温水を再度，利用するために風呂温水の温度の低下を防ぐ断熱材を、既存の浴槽の側面、底面に施し、さらに蓋も断熱材を施すことで風呂温水の温度低下を抑えることができる。【００１０】  常峙，風呂温水濾過し、風呂温水の温度の低下を防ぐことですることで、温水及び熱を捨てることが無くなり、水、熱の二面からコスト面に有利に働くことになる。
また、高齢化とともに、風呂掃除は高齢者にとっては大変な作業であるが、この浴槽温水濾過器は日々の風呂掃除から開放され、一週間に一度の濾過材の洗いだけで済み、生活活に少しのゆとりが、入浴の楽しみに働くと考えられる。
さらに、さら湯ではないために、高齢者ばかりでなく、肌の弱い方の肌荒れを防ぐことができると思われる。
【図面の簡単な説明】
【００１１】
【図１】浴槽温水濾過器断面図及び濾過システム図
【図２】浴槽に断熱材を施した断面図
【符号の説明】
【００１２】    （１）・・・圧縮空気を送るエアーポンプ
（２）・・・圧縮空気を送る直径５ｍｍエアーチューブ
（３）・・・垢とり濾過材
（４）・・・風呂温水濾過器を沈める重り
（５）・・・臭い除去活性炭
（６）・・・細かいエアーレーション発生ストーン
（７）・・・風呂温水を風呂温水濾過器に引き込む無数の穴
【図１】
2018094365.tif 000003
【図２】
2018094365.tif 000004
(57)【要約】【課題】  ベランダなど屋外で使用するサンダルを、風雨や埃などから守るサンダルカバーを提供する。【解決手段】サンダルを覆い隠す大きさと形状のカバーを設け、スライドさせて長さを調節させる柄の下端部をカバーの上部に垂直状に固定し、上端部に取っ手を設けることを特徴とするサンダルカバー。【選択図】図１
2018094362.tif 000002
【特許請求の範囲】
【請求項１】
サンダルを覆い隠す大きさと形状のカバーを設け、スライドさせて長さを調節させる柄の下端部をカバーの上部に垂直状に固定し、上端部に取っ手を設けることを特徴とするサンダルカバー。
【発明の詳細な説明】
【技術分野】
【０００１】  本発明は、ベランダなど屋外で使用するサンダルを、風雨や埃から守るサンダルカバーに関するものである。
【背景技術】
【０００２】  従来、収納ケースにカバーを設けたり、サンダル自体の構造を変えたものはあった。
【先行技術分野】
【０００３】
【特許文献１】特許公開年  １０−５００３
【特許文献２】特許公開  ２００５−３０５００４
【発明の概要】
【発明が解決しようとする課題】
【０００４】  そのために、次のような問題点があった。
（イ）開閉したり移動したりするとき、しゃがんだり立ったりするため体に負担がかかった。
（ロ）収納ケースが置いてあると作業の邪魔になった。
（ハ）サンダル自体の形状や構造の変更は製造コストがかかった。
本発明は、これらの問題点を解決するためになされたものである。
【課題を解決するための手段】
【０００５】  サンダルを覆い隠す大きさと形状のカバーを設け、スライドさせて長さを調節できる柄の下端部をカバーの上部に垂直状に固定し、上端部に取っ手を設ける。
以上を特徴とするサンダルカバーである。
【発明の効果】
【０００６】  カバーの開閉や邪魔にならない場所への移動の操作が自然体の状態でできて、しかも簡単な構造なので製造コストもかからない。
【図面の簡単な説明】
【０００７】
【図１】  本発明の斜視図
【図２】  本発明の一部を切り欠いた側面図
【発明を実施するための形態】
【０００８】  以下、本発明の実施の形態について説明する。
（イ）サンダル（１）を覆い隠し、空気抵抗を少なくした半楕円球状のカバー（２）を設ける
（ロ）スライドさせて長さをストッパー（４）で調節できる柄（３）の下端部をカバー（２）の上部に垂直状に固定する。
（ハ）柄（３）の上端部に取っ手（５）を設ける。
本発明は以上のような構造で、これを使用することにより屈むことなく自然体でカバー（１）の開閉ができ作業の手間が省ける。
しかも作業時に邪魔にならない場所への移動も一挙にできる。
【符号の説明】
【０００９】１    サンダル
２    カバー
３    柄
４    ストッパー
５    取っ手
【図１】
2018094362.tif 000003
【図２】
2018094362.tif 000004
(57)【要約】【課題】  本発明はフォトフレーム兼卓上鏡に関し、特にフォト表示面と鏡表示面とが背中合わせに形成され、スタンドの位置調整によって、フォト表示面及び鏡表示面の立て角度を任意に設定可能としたことを特徴とするフォトフレーム兼卓上鏡を提供するものである。【解決手段】  フォトフレーム又は卓上鏡の立て角度を任意に設定することのできるスタンドの両端部が、補強プレートの側面に固定されたスプリングピン軸に嵌合され、該嵌合部はスプリングピンンの摩擦によって、フォト表示面及び鏡表示面の立て角度を任意に設定可能として使い勝手を向上させたことを特徴とするフォトフレーム兼卓上鏡を構成したものである。【選択図】図４
2018094363.tif 000002
【特許請求の範囲】
【請求項１】
フォト表示面と鏡表示面とが背中合わせに形成され、スタンドの角度位置調整によって、フォト表示面及び鏡表示面の用途に使用可能としたことを特徴とするフォトフレーム兼卓上鏡。
【請求項２】
補強プレートとクリアアクリルプレートとに挟持された画材がフォト表示面に表示されると共に、該補強プレートの裏面には鏡表示面が形成されていることを特徴とする請求項１記載のフォトフレーム兼卓上鏡。
【請求項３】
鏡形成プレートは金属の真空蒸着メッキによって鏡が形成されていることを特徴とする請求項１記載のフォトフレーム兼卓上鏡。
【請求項４】
使用状況に応じてスタンドの回動角度を定めて、直立角度を調整可能に構成したことを特徴とする請求項１記載のフォトフレーム兼卓上鏡。
【請求項５】
スタンド内側には、吊り下げ用凹部が形成されており、壁などに固定された吊り下げ用止め具に係止できるように構成されていることを特徴とする請求項１記載のフォトフレーム兼卓上鏡。
【発明の詳細な説明】
【技術分野】
【０００１】  本発明はフォトフレーム兼卓上鏡に関し、特にフォト表示面と鏡表示面とが背中合わせに形成され、スタンドの位置調整によって、フォト表示面及び鏡表示面の立て角度を任意に設定可能としたことを特徴とするフォトフレーム兼卓上鏡である。【０００２】  また、フォトフレーム又は卓上鏡の立て角度を任意に設定することのできるスタンドを具備するフォトフレーム兼卓上鏡に関するものである。
【背景技術】
【０００２】  一般的に、絵画等の作品をセットしたり、取り替えるときにはコーナー部の連結を外したり、組み立てたりする手間が掛かるものであった。
また、組み立て後にコーナー部を固定するための構造は、ロック部材やストッパーと称される部品を利用するために複雑な構造を必要とするものであった。【０００３】  これらの例としては、特開平８−２４０９９号公報「額縁フレームの連結具」や特開平８−２１５０１０号公報「額縁及び額縁用枠体の枠体連結具」等が公開されている。【０００４】
【特許文献１】特開平８−２４０９９号公報
【特許文献２】特開平８−２１５０１０号公報
【発明の開示】
【発明が解決しようとする課題】
【０００５】  上述したように、この種の連結具は、絵画等の作品をセットしたり、取り替えるときにはコーナー部の連結を外したり、組み立てたりする手間が掛かるものであった。また、組み立て後にコーナー部を固定しなければならず、固定するための構造は、ロック部材やストッパーと称される部品を用いるために複雑な構造を必要とするものであった。【０００６】  したがって、絵画等の作品をセットしたり、取り替えるときにはコーナー部の連結を外したり組み立てをする作業を容易にし、組み立て後にはフォトフレーム兼卓上鏡として容易に二つの機能を簡単に利用することができるフォトフレーム兼卓上鏡を必要としていた。
【課題を解決するための手段】
【０００７】  フォト表示面と鏡表示面とが背中合わせに形成され、スタンドの位置調整によって、フォト表示面及び鏡表示面の用途に使用可能としたことを特徴とし、補強プレートとクリアアクリルプレートとに挟持された画材がフォト表示面に表示されると共に、該補強プレートの裏面には鏡表示面が形成されていることを特徴とし、鏡形成プレートは金属の真空蒸着メッキによって鏡が形成されていることを特徴とし、使用状況に応じてスタンドの回動角度を定めて、直立角度を調整可能に構成したことを特徴とし、スタンド内側には、吊り下げ用凹部が形成されており、壁などに固定された吊り下げ用止め具に係止できるように構成されていることを特徴とするフォトフレーム兼卓上鏡を提供する。
【発明の効果】
【０００８】  本発明のフォトフレーム兼卓上鏡によれば、フォトフレームと卓上鏡との二つの機能を有するもので、大切な画像を卓上又は机上に載置しておくことができると共に、卓上鏡として使用することができるので、生活上の用途として有用である。
【発明を実施するための最良の形態】
【０００９】  以下、図面に基づいて、本発明を実施するための最良の形態を具体的に説明する。
図面に於いて、図１は本発明に係るフォトフレーム兼卓上鏡の平面図である。【００１０】  フォト表示面１の両サイドに固定された軸受４１に挿入された固定軸にスタンド７の先端部が嵌着されており、一定の摩擦力を介して回動可能に嵌着されている。
したがって、図２のようにスタンド７を矢印ａ方向に回動すれば、フォト表示面１が表面に位置して、画材６を観察することができる。【００１１】  前記せるように、一定の摩擦力を介してスタンド７を回動させる場合、固定軸４をスプリングピンの反発力によって、一定の摩擦力を付与してスタンド７を回動させることができる。【００１２】  また、図３のようにスタンド７を矢印ｂ方向に回動すれば、鏡表示面２が表面に位置して、卓上鏡として使用することができる。【００１３】  また、図１、図４及び図５に示すように、鏡表示面２、と補強プレート３は接着固定されており、クリアボード５は、ボルトＩ１によって脱着可能に固定されており、補強プレート３とクリアボード５の間には使用者の好む画材６が挟持されている。【００１４】  フォトフレームと卓上鏡を別個に壁などに吊り下げて使用したい場合には、図５に示すように、スタンド吊り下げ部７１の凹部に吊り下げ用止め部８が差し込まれるようにして吊り下げることができる。【００１５】  前記せるように、本発明のフォトフレーム兼卓上鏡によれば、フォトフレームと卓上鏡との二つの機能を有するもので、大切な画像を卓上又は机上に載置しておくことができると共に、卓上鏡として使用することができるので、生活上の用途として有用である。
【図面の簡単な説明】
【００１６】
【図１】  フォトフレーム兼卓上鏡の平面図である。
【図２】  図１の側面図である。
【図３】  図１の側面図である。
【図４】  図３の拡大部分断面図である。
【図５】  フォトフレーム兼卓上鏡の吊り下げ状態の平面図である。
【符号の説明】
【００１７】  １．フォト表示面
１１．ボルト
２．鏡表示面
２１．金属真空蒸着メッキ面
３．補強プレート
４．固定軸
４１．ボス
５．クリアボード
６．画材
７．スタンド
７１．スタンド吊り下げ部
８．吊り下げ用止め具
【図１】
2018094363.tif 000003
【図２】
2018094363.tif 000004
【図３】
2018094363.tif 000005
【図４】
2018094363.tif 000006
【図５】
2018094363.tif 000007
(57)【要約】      （修正有）【課題】カップ上部からお湯を注ぐだけで、お茶を飲む事を可能にする。【解決手段】繊維メッシュとデンプン薄膜を重ねたフィルターをカップの底部に設けた茶葉室上部に位置し、カップ上部よりお湯を注ぎ茶葉室で茶葉を一定時間抽出し、お湯を注ぎ足しお茶を飲む事を可能にした。【選択図】なし【特許請求の範囲】
【請求項１】
改良蜂の巣フィルターは、繊維メッシュとデンプン薄膜を重ねたフィルターである。
【発明の詳細な説明】
【発明の概要】
改良蜂の巣フィルターは、平成１７年  登録第３１２３４２８号  ティカップ茶葉室のフィルター部である。
改良蜂の巣フィルターは、茶葉がお湯と良く馴染む茶葉室とコップ上部をつなぐ物である。
【発明の効果】茶葉を茶葉室で抽出効率を上げる。茶葉室上部のデンプン薄膜がお湯に溶ける一定時間は、茶葉室で茶葉抽出温度を閉塞方向に保つものである。
一定時間、茶葉の抽出後お湯を注ぎ足し飲料する。飲料時に茶葉を飲むことの無い様にフィルターの役をなす。
(57)【要約】      （修正有）【課題】水道連結消火装置において、給水本管と消火用シャワーヘッド間の停滞水を無くし、配管方法の選択を広げる装置を提供する。【解決手段】水源から引き込まれた、所定の水圧で、所定の水量を、流す事の出来る断面をもつ、本管６に、本管用に作られた，市販の、十字型クロス継手３、又は丁字型三方継手２を、消火シャワーヘッド取り付け必要数、必要個所に取り付け、その、分岐管取り付け口より、循環発生管を差し込む。この、循環発生管の他の端に継手、分岐管を通しながら、一階、又は、二階の天井に予定した、消火用シャワーヘッド取り付け場所に導く。【選択図】図２
2018094361.tif 000002
【特許請求の範囲】
【請求項１】
水道連結消火装置用に作られた、分岐継手、又は、規格分岐継手の、分岐管取り付け口より下流方向に差し込まれた細管を、消火用シャワーヘッド取り付け口近くまで通した、分岐管循環発生装置。
【請求項２】
分岐継手内に、負圧発生細部（８）を付け、分岐管内まで導く、取り付け口を付けた、分岐継手。
【請求項３】
水道連結消火装置の為の給水管を、床下に配置し施工する、施工法。
【請求項４】
水道連結消火装置の停滞水解消分岐装置を、垂直に取り付けする施工法。
【発明の詳細な説明】
【技術分野】
【０００１】本発明は、水道連結消火装置、における、給水配管内の、停滞水を本流に戻し、本管本流の水を、取り入れ、給水配管内の水質、水温を本流並みに確保し、装置全体の、配管設計、施工を、自在化する、発明である。
【背景技術】
【０００２】最近の、水道連結消火装置は、その設備の簡易さと、設備工事費の廉価さにより、普及し始めているが、設置の最大条件の一つ、シャワーヘッド含む、取り付け給水配管部の、水質悪化を防ぐための、配慮が、厳しく求められている。【０００３】現在考案、市販されている、水道連結消火装置の取り付け器具は、多くは、給水本管に直接取り付け、かつ、構造上、水平に取り付けなければ、ならず、その為の設計、施工、の不自由さがあった。【０００４】性能構造上、水道連結消火装置取り付け器具と、消火用シャワーヘッド取り付け口までの、間隔が狭く、天井骨組、天井下地、天井材、天井空間、等、選択幅少なく、又、給水本管の、結露防止のための、保温施工の条件も、悪かった。
【発明の概要】
【０００５】水源から引き込まれた、所定の水圧で、所定の水量を、流す事の出来る断面をもつ、給水本管（６）に、本管用に作られた，市販の、十字型クロス継手（３）、又は丁字型三方継手（２）を、消火シャワーヘッド（９）の、取り付け必要数、に応じ、必要個所に取り付け、その、分岐管取り付け口（４）より、循環発生管（１）を下流に向け差し込み、本管本流の流れにより、循環発生管（１）に負圧を発生させ、消火用シャワーヘッド（９）を取り付け分岐管内の停滞水を、入れ替える。
【発明が解決しようとする課題】
【０００６】消火用シャワーの効果を、発揮させる為、消火用シャワーヘッド（９）の取り付け場所は、部屋の、中央部が望ましいが、給水本管（６）を、各部屋の、中央に導くことは、設計施工上、難点があった。【０００７】通常住宅では、天井裏が最も温度、湿度が高く、常時生活用水の流れる水道本管を、水平に取り付けることは、結露、通水雑音が発生し、望ましい方法ではない。【０００８】通常、給水配管の、給水本管の取り付け場所として、床下が望ましく、その給水配管の本管に、分岐継手を取り付け、一階天井、二階天井まで、分枝管にて導き、消火用シャワーヘッドを、取り付ける事が望ましいが、長くなった分岐管内の、停滞水を、抜き取る工夫を、しなければならない。
【課題を解決するための手段】
【００１２】水源から引き込まれた、所定の水圧で、所定の水量を、流す事の出来る断面積をもつ、給水本管（６）に、本管用に作られた，市販の、十字型クロス継手（３）、又は丁字型三方継手（２）を、消火シャワーヘッド取り付け必要数に応じ、必要個所に取り付け、その継手の、分岐管取り付け口（４）より、循環発生管（１）下流に向かい差し込みその先端に負圧発生帯（８）を作る。【００１３】この、循環発生管（１）の他の端に継手、分岐管を通しながら、一階、又は、二階の天井に設置を予定した、消火用シャワーヘッド取り付け場所に導く。【００１４】循環発生管（１）の設置に制約はなく、下流に向け差し込めば作動するため、パイプシャフトに設置することも、可能である。
【発明の効果】
【００１５】、
（イ）消火シャワーヘッド取り付場所が自由に設定できる。
（ロ）給水本管が床下に配置出来るため、結露被害がすくない。
（ハ）循環発生管以外は、すべて市販規格品で組み立てることでき、経済的である。
（ニ）装置全体が、同一温度になり、凍結しにくい。
（ホ）設置角度を選ばないため、パイプシャフトに、縦に連続接続、が、可能。
【図面の簡単な説明】
【図１】水道連結消火スプリンクラー取り付け部の、停滞水解消装置の断面概念図である。
【図２】水道連結消火設備、停滞水解消装置の配管法の設置概念図である。
【発明を実施するための形態】
【実施例】
【００１６】水源から引き込まれた、所定の水圧で、所定の水量を、流す事の出来る断面をもつ、給水本管（６）に、本管サイズ用に作られた，市販の、十字型クロス継手（３）、又は丁字型三方継手（２）を、消火シャワーヘッド取り付け必要数、に応じ、必要個所に取り付け、その、分岐管取り付け口（４）より、循環発生管（１）を下流に向け差し込む。【００１７】二階に常時使用する水栓器具あれば、一階天井設置の、消火スプリンクラー水源は、パイプシャフト上部から取り出す事が出来、給水本管の、天井裏配管が避けられる。【００１８】  消火用シャワーヘッド（９）取り付け分岐管内には、消火用シャワーヘッド（９）の直前まで、循環発生管（１）差し込み、消火用シャワーヘッドを取り付ける。
この作業を、消火用シャワーヘッド取り付けごとに行ない、通水する。【００１９】水道連結消火装置取り付け継手の、最終取り付け位置より、下流で給水器具が開栓され、給水本管（６）に、下流方向に向かい、水の流れが、起きた場合、循環発生管（１）の中の水は、発生した負圧により、本管方面に移動し、水道連結消火装置用の分岐管（５）の、停滞水（８）を無くす。
【符号の説明】１  循環発生管
２  丁字三方継手
３  十字クロス継手
４  分岐管取り付け口
５  分岐管
６  給水本管
７  シャワーヘッド取り付け口
８  負圧発生部
【図２】
2018094361.tif 000003
【手続補正書】
【提出日】平成29年2月20日(2017.2.20)
【手続補正１】
【補正対象書類名】図面
【補正対象項目名】全図
【補正方法】変更
【補正の内容】
【図１】
2018094361.tif 000004
【図２】
2018094361.tif 000005
(57)【要約】      （修正有）【課題】内部に筆先を整えることのできる形状をもたせ、さらに密閉性のある蓋を設けて、墨液の乾燥による濃度変化の防止をする、書道に使う墨液皿を提供する。【解決手段】墨液皿の内側に筆先をなでつけて、筆先を整えることのできる傾斜面の形状をもたせることによって、筆先直しと共に、筆先から絞り出した余分な墨液が凹部の墨溜りに流れ戻るようにした。さらに、墨液の受皿２皿を並置した構造にして、一方を墨用として、他方を水用として使い、水皿に入れた水に筆先を入れて、微量の水を筆に含ませ、墨液濃度の微調整ができるようにした。加えて、墨液の乾燥を防ぐために、1.5回転以上で閉まる蓋を設け、蓋を閉めることにより、墨液の乾燥による濃度変化が防止できるようにした。【選択図】図１
2018094924.tif 000002
【特許請求の範囲】
【請求項１】
合成樹脂の書道墨液の受皿を少なくとも２つ並置して、扁平な台座上に形成すると共  に、密閉性の蓋を備えたことを特徴とする蓋付墨液皿。
【請求項２】
墨液の受皿には、硯に似た凹部の墨溜りである海部と緩斜面を有する凸部の筆先直し  部分である陸部と、さらに、海部と陸部の境目の墨切りである崖部を設けた請求項１記  載の蓋付墨液皿。
【請求項３】
密閉構造の蓋は、１．５回転以上のネジを切ったネジ付蓋とすることを特徴とする請  求項１又は２に記載の蓋付墨液皿。
（１）
【発明の詳細な説明】
【技術分野】
【０００１】
発明は、蓋付墨液皿に関する。          
【背景技術】
【０００２】
硯には、墨の乾燥による濃度変化を防ぐ為、古来、象牙製や木漆製の
蓋が付いているものがある。
【０００３】
既に自然石で２つの硯を一体化して彫り上げた二連は製品化されている。
【０００４】
墨絵や書道の墨皿や硯で、筆の余分な墨を絞り取るには、墨皿や硯の淵に
筆の腹をなすりつけて墨切りしていた。
既存製品である書き初め用の墨皿の場合、墨皿の内側に、墨切り用の突起が
付いていて、これに筆の先を押しつけて墨切りしていた。
（図３）
【０００５】
書道具は、主な道具である四宝の他に小道具が多岐に渡り、水差しや墨皿
等の陶器製品がある。さらに文鎮、筆置き等の金属製品もあり、重いものが
多かった。
【発明の概要】
【発明が解決しようとする課題】
【０００６】
古来の蓋では、墨に埃が入るのを防ぐことはできるが、墨の乾燥による濃度変化ま    では防げないという欠点があった。
【０００７】
二連硯が製品として、存在することから、一方を墨用、他方を水用として筆先で微    妙な濃度調整を行おうとするニーズがある。
本発明は、二連硯から、固形の墨を磨る機能を除き、既に磨ってある市販の墨液用に    特化した墨皿を提供しようとするものである。
【０００８】
正月の書き初め用墨皿では、この墨切り用突起と容器との間が水洗いしにくいとい    う課題がある。
【０００９】
書道具は重い物が多く、小さくて、軽く、携行に適した製品の開発が課題である。
【課題を解決するための手段】
【００１０】
第１の課題解決手段は、合成樹脂の書道墨液の受け皿２つを並置して、扁平な台座    上に形成すると共に、密閉性の蓋を備えたことを特徴とする蓋付墨液皿である。軽量    の合成樹脂製とすることで、墨液の少量使用に適する小型化、扁平化、軽量化ができ    る。かつ、こうした形態を備えた墨液の受皿を２つ並置することによって、一方を墨    用、他方を水用として使い分けることができる。
【００１１】
第２の課題解決手段は、墨液の受皿内部に、凸部（陸部）の筆先直しに使える緩斜    面と、墨液を貯める凹部（海部）との間に、急斜面（崖部）、その緩斜面と急斜面の    境目に滑らかな角を設け、筆が含んでいる余分な墨を切ることができるようにした。
【００１２】
第３の課題解決手段は、墨液の乾燥を防ぐ蓋の密閉性の確保のために、１．５回転    以上のネジを切ったネジ付蓋を設けたものである。
【発明の効果】
【００１３】
本発明は、小型化、扁平化、軽量化と共に、製品が割れにくくなる。
【００１４】
本発明は、墨液の受皿を並置し、蓋を密閉することにより、墨液の濃度を一定        に保つ書道の高度な技術を容易に克服できる効果が期待できる。
【００１５】
本発明では、墨液の受皿の内部に墨切りがあるため、既製の墨皿や硯のように        淵を汚さなくてすむようになる効果がある。
【図面の簡単な説明】
【００１６】
【図１】本発明にかかる墨液皿
【図２】本発明にかかる墨液皿の蓋
【図３】従来の書き初め用墨液皿
【図４】本発明の使用状態断面図
【発明を実施するための形態】
【００１７】
本発明の墨液皿の台座７は、巾の広い「くの字」形で、起筆部と終筆部に墨液        の受皿を並置して、扁平（厚さ８ｍｍ）受皿の淵の高さ７ｍｍ（計１５ｍｍ）の        台座上に形成する。（図１）
台座７の大きさは、受皿の周辺は３ｍｍ、受皿と受皿の間は７ｍｍ、受皿の手        前と奥を区別するため、奥は３ｍｍに２ｍｍ程度の膨らみを持たせ、手前は３ｍ        ｍにマイナス２ｍｍ程度の凹んだ曲線の形態とする。大きさ、形状、受皿の数に        は、こだわらない。凸部を奥、凹部を手前に使うのが望ましい。
【００１８】
本発明の墨液の受皿の内部の形態は、凸部（陸部）３の筆先直しに使える緩斜        面と、墨液を貯める凹部（海部）１との間に、急斜面（崖部）２その緩斜面と急        斜面の境目に滑らかな角を設ける。この滑らかさは、反故紙で容易に墨液を拭い        取ることのできる機能が備わっていれば足り、その形態、長さにはこだわらな          い。
本発明の墨液の受皿の直径は３０ｍｍ、外側は雄ネジとするが、直径の長さに        はこだわらない。
【００１９】
墨液の受皿の蓋６は、円形とし、内側を雌ネジとする。（図２）
【符号の説明】
【００２０】
１.墨溜り（凹部、海部）
２.墨切り（崖部）
３.筆先直し（凸部、陸部）
４.墨液皿の本体
５.ネジ（本体の受皿部の雄ネジ）
６.蓋
７.台座
８.ネジ（蓋の雌ネジ）
９.既製品の書き初め用墨皿の筆直し用突起
【図１】
2018094924.tif 000003
【図２】
2018094924.tif 000004
【図３】
2018094924.tif 000005
【図４】
2018094924.tif 000006
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
合成樹脂の書道墨液の円柱状の受け皿２つを並置して、扁平な台座上に形成すると共に、密閉性の蓋を備え、前記墨液の２つの受け皿には、硯に似た凹部の墨溜りである海部と、海部へ向かって緩やかに傾斜している緩斜面を有する凸部の筆直し部分である陸部と、さらに、海部と陸部の境目の墨切りであり、急斜面である崖部を設け、前記海部の断面形状は円弧状であり、前記緩斜面と前記急斜面の境目に反故紙で容易に墨液を拭い取ることのできる滑らかな角を設けたことを特徴とする蓋付墨液皿。
【請求項２】
密閉構造の蓋は、１．５回転以上のネジを切ったネジ付蓋とすることを特徴とする請求項１に記載の蓋付墨液皿。
(57)【要約】【課題】暗記が出来た単語の位置が分からないため、暗記出来た単語を何度も同じ単語が載っているページを捲るという事がおこり、学習の能率が非常に悪く、不効率であるという問題があった。【解決手段】単語帳の各ページには、閉じるための孔と、閉じるための孔とは異なる、捲る側の上角又は下角の少なくとも１つに、三角状に織るためのミシン目又は折り目を備えたことを特徴とする単語帳。【選択図】図１
2018094900.tif 000002
【特許請求の範囲】
【請求項１】
単語帳の各ページには、閉じるための孔と、閉じるための孔とは異なる、捲る側の上角又は下角の少なくとも１つに、三角状に織るためのミシン目又は折り目を備えたことを特徴とする単語帳。
【発明の詳細な説明】
【技術分野】
【０００１】本発明は、折り目又はミシン目を入れた単語帳に関する。
【背景技術】
【０００２】どの単語の暗記が出来ていないのか、従来は単語帳のページを捲って見なければならなく、どのページかも分からない。
【発明の概要】
【発明が解決しようとする課題】
【０００３】暗記が出来た単語の位置が分からないため、暗記出来た単語を何度も同じ単語が載っているページを捲るという事がおこり、学習の能率が非常に悪く、不効率であるという問題があった。
【課題を解決するための手段】
【０００４】単語帳の各ページには、閉じるための孔と、閉じるための孔とは異なる側の上角又は下角の少なくとも１つに、三角状に折るためのミシン目又は折り目を備えたことを特徴とする単語帳である。
【発明の効果】
【０００５】単語帳のページの捲る側の上角又は下角を容易に織ることにより、容易に暗記できた単語のページがわかる。
【図面の簡単な説明】
【０００６】
【図１】本願発明の単語帳の構成
【発明を実施するための形態】
【０００７】図１に、本願発明の単語帳の構成を示す。
本願発明の単語帳（１）のページには、閉じるための孔と、各ページの閉じ孔とは異なる、捲る側の辺の上角又は下角に、三角状に折るためにミシン目又は折り目（２）（３）を備える。その折り目又はミシン目に沿って折る事により、暗記した単語と、暗記されていない単語を容易に見つける印になる。このとき、暗記出来た単語の場所を折るか、暗記出来ていない単語の場所を折るかは、学習者の選択となる。
【産業上の利用可能性】
【０００８】折り目又はミシン目を付けた単語帳を提供する。
【符号の説明】
【０００９】  １      単語帳
２、３  折り目又はミシン目
【図１】
2018094900.tif 000003
(57)【要約】      （修正有）【課題】効率的にキャベツのスライスを行える器具を提供する。【解決手段】一定の曲線を保って湾曲したスライス板１の中央部に、両側に刃先２を設けた刃板３を所定の角度を持って取り付け、該スライス板１の上部を前后に摺動可能で且つシャフト４に支点を有して動く、上方に向けてやゝ先細りに形成された筒１２を取り付け、更に同じくシャフト４に支点を持ち、上部に握り用円板５を取りつけてある押し込み板を設けた。回転する筒に入れられたキャベツを、直線的なカットに加えて前后にも作動して切ることが出来るので、あたかも包丁で切る様に行える。【選択図】図１
2018094711.tif 000002
【特許請求の範囲】
【請求項１】
一定の曲線を保って湾曲したスライス板１の中央部に、両側に刃２を設けた刃板３を所定の角度を持って取り付け、該スライス板の上部を前后に摺動可能で且つシャフト４に支点を有して動く、上方に向けてやゝ先細りに形成された筒１２を取り付け、更に同じくシャフト４に支点を持ち、上部に握り用円板５を取りつけてある押し込み板を設けたキャベツのスライス器の構造。
【発明の詳細な説明】
【技術分野】
【０００１】本発明は、キャベツのスライスを効率良く行うための器具に関する。
【背景技術】
【０００２】従来のキャベツのスライスに関しては、効率的に行えるものが見当らず、包丁で切るしかない不便さがあった。
【発明の概要】
【発明が解決しようとする課題】
【０００３】  本発明は、このような問題点を解決しようとするものであり、筒の円運動によって効率よくスライスの行える器具を提供しようとするものである。
【課題を解決するための手段】
【０００４】  そして、本発明は、上記目的を達成するために、一定の曲線を保って湾曲した形状のスライス板の中央部に両側に刃を設けた刃板を、所定の角度を持って取付け、該スライス板の上部を前后に摺動可能で、具つ、シャフトに支点を有して動く、上方に向けてやゝ先細りに形成された筒を取りつけ、更に、同じくシャフトに支点を持ち、上部に回転する握り用円板を取りつけた押し込み板を設けたものである。
【発明の効果】
【０００５】  本発明のスライサーは、湾曲したスライス板に、傾斜して設けられた刃が、回転する筒に入れられたキャベツを、直線的なカットに加えて前后にも作動して切ることが出来るので、あたかも包丁で切る様に行える利点がある。【０００６】  更に、筒が台形となっているので、上部から押し込まれたキャベツが筒の内側を滑らかに下方に移動できるようにすることができる。
【図面の簡単な説明】
【０００７】
【図１】  本発明の器具の立体図
【図２】  同器具の平面図
【図３】  同器具の図２のＡ−Ａ線の断面図
【図４】  同器具の図２のＢ−Ｂ線の断面図
【発明を実施するための形態】
【０００８】  以下、本発明の実施の形態を図１〜図４に基づいて説明する。
【０００９】  図１はスライス板１の下部にかなりのスペースのあることが示されている。
【００１０】  図２にはｒ１とｒ２が示されて居り、ｒ１とｒ２の比は１：３とするのが好ましく、又、刃板３の中心線Ｃとｒ２とが刃板３の中点Ｄにおいてなす角度は、ほぼ２５度とするのが良く、更に、刃板の幅はほほ１ｃｍ位が良い。
【００１１】  図３には筒５の斜面の傾斜に応じて自在に曲がる弾性のある板１３が取り付けられている。
【００１２】  図４には、押し込み板７が安定して作動するように支捧８を深く挿入できるようにされている。
【符号の説明】
【００１３】  １．  スライス板
２．  刃
３．  刃板
４．  シャフト
５    握り用円板
６．  押し込み棒
７．  押し込み板
８．  支持棒
９．  底板
１０．  台板
１１．  支持金具
１２．  筒
１３．  板
【図１】
2018094711.tif 000003
【図２】
2018094711.tif 000004
【図３】
2018094711.tif 000005
【図４】
2018094711.tif 000006
(57)【要約】【課題】動画の視聴体験を損なわず、かつ、動画の背景空間に効果的に広告を表示可能な広告表示装置、広告表示方法、及び広告表示プログラムを提供する。【解決手段】複数のフレームからなる動画を取得する動画取得手段231と、動画に重畳させて表示する広告を取得する広告取得手段232と、前記動画を構成する各フレームにおいて、広告表示位置を特定する広告表示位置特定手段233とを有するサーバ装置20、及び、動画の広告表示位置に対して広告を加工する広告加工手段142と、動画の広告表示位置に対して前記の広告加工手段で加工した広告を重畳させる再生手段143を有する端末装置10を備える。【選択図】図１
2018125630.tif 000002
【特許請求の範囲】
【請求項１】
複数のフレームからなる動画を取得する動画取得手段と、
前記動画に重畳させて表示する広告を取得する広告取得手段と、
前記動画を構成する各フレームにおいて、指定のオブジェクトを検出して、広告表示位置を特定する手段と、
前記動画の前記広告表示位置に基いて前記広告を加工する手段と、
前記動画の前記広告表示位置に基いて加工された前記広告を重畳させる手段と、
を備えたことを特徴とする広告表示装置。
【請求項２】
コンピュータにより広告が重畳された動画を表示させる広告表示方法であって、
前記コンピュータは、
複数のフレームからなる動画を取得し、
前記動画に重畳させて表示する広告を取得し、
前記動画を構成する各フレームにおいて、指定のオブジェクトを検出して、広告表示位置を特定し、
前記動画の前記広告表示位置に基いて前記広告を加工し、
前記動画の前記広告表示位置に基いて加工された前記広告を重畳させる
ことを特徴とする広告表示方法。
【請求項３】
コンピュータにより読み込み実行される広告表示プログラムであって、
前記コンピュータを、請求項1に記載の広告表示装置として機能させる
ことを特徴とする広告表示プログラム。
【発明の詳細な説明】
【技術分野】
【０００１】
本発明は、動画内に広告を表示させる広告表示装置、広告表示方法、及び広告表示プログラムに関する。
【先行技術文献】
【特許文献】
【０００２】
【特許文献１】特開2016−61885号公報
【発明の概要】
【発明の効果】
【０００３】
本発明では、動画内の指定のオブジェクトを検出し、前記動画の各フレームおける広告表示位置を特定する。この広告表示位置に対して効果的な加工を広告に施すことで、動画の視聴体験を損なうことなく、広告を表示させることで、広告の表示時間、及び、広告の表示面積を増大させることができる。
【図面の簡単な説明】
【０００４】
【図１】本派t名の広告表示システムの概略構成を示すブロック図。
【図１】
2018125630.tif 000003